(57)【特許請求の範囲】
【請求項１】
発泡スチロール製の面材を含んで形成された本体と、この本体の周囲に設けられた合成樹脂製の框とを備えた襖の構造であって、
前記框の少なくとも一部には、前記框の長手方向に沿って金属製の補強材が設けられており、
前記補強材は、前記框のうち少なくとも前記本体の上下に設けられる横框に設けられ、これらの上下の横框に設けられる前記補強材のうち少なくとも一方は、前記襖の上下方向の高さ寸法を調整するための調整材として機能することを特徴とする襖の構造。
【請求項２】
請求項１に記載の襖の構造において、前記框は、プラスチック樹脂に木粉を混入したプラスチック製材料により形成されていることを特徴とする襖の構造。
【発明の詳細な説明】
【０００１】
【発明の属する技術分野】
本発明は、本体とその周囲に設けられた框とを備えた襖の構造に係り、例えば、上下方向の高さ寸法を調整するための調整材を備えた襖などに利用できる。
【０００２】
【背景技術】
従来、襖の本体の周囲には、木製の框が設けられていた。しかし、木製の框では、釘打ち等により本体に固定することになるため、敷居と鴨居との間の間隔あるいはこれらに形成された溝の深さに応じて襖の高さ寸法の調整を行って襖を建込むことは困難であった。
【０００３】
このため、近年、襖の高さ寸法の調整を自在に行うことができるように、襖の本体の上下に設けられる横框に沿わせて高さ寸法調整用の調整材を設けた構造の襖が種々考案され、これに伴いアルミ合金等を用いた押出成形品による金属製の框が多く採用されるようになってきた。すなわち、このような高さ寸法調整機能を備えた襖では、通常、調整材を横框に摺動自在に嵌挿設置しておき、この調整材を本体に対して上下方向に相対移動させて高さ寸法の調整を行う（特開平１０−２３８２２６号公報、実公昭５８−４６２１９号公報等参照）。従って、横框の断面形状は、調整材を嵌挿設置させる構成としなければならず、従来に比べ、複雑なものとなるため、複雑な断面形状を比較的容易に形成できる金属製の框が多く採用されるようになってきた。
【０００４】
【発明が解決しようとする課題】
しかしながら、前述したアルミ合金等の金属製の框では、押出成形等を用いれば複雑な断面形状の長尺部材を容易に形成できることから、高さ寸法調整用の調整材を嵌挿設置できる構成を容易に実現できるという利点はあるものの、金属製であることから、重量が大きくなるという問題があった。
【０００５】
すなわち、襖は、通常、戸車を用いずに敷居の溝上を走行するものであるため、重量が大きいと摩擦も大きくなり滑りにくくなるので、使い勝手が悪くなるという問題があった。また、重量が大きいと建付けの際の作業に手間がかかるうえ運搬も容易ではないという問題も生じる。従って、襖としては、できる限り重量の小さいものが要求される。
【０００６】
本発明の目的は、襖の軽量化を図ることができる襖の構造を提供するところにある。
【０００７】
【課題を解決するための手段】
本発明の襖の構造は、発泡スチロール製の面材を含んで形成された本体と、この本体の周囲に設けられた合成樹脂製の框とを備えたことを特徴とするものである。
【０００８】
ここで、「発泡スチロール製の面材を含んで」とは、襖の本体は、発泡スチロール製の面材のみにより形成されている場合のみならず、他の材料も併せて使用されていてもよい趣旨であり、例えば、発泡スチロール製の面材の表裏の面に、補強や反り防止のための金属箔、あるいは化粧用の和紙等を貼り付ける等してもよい。
【０００９】
また、框の材質は、合成樹脂であれば、いずれの種類であってもよく、例えば、フェノール樹脂、尿素樹脂、メラミン樹脂、アルキッド樹脂等の熱硬化性樹脂であってもよく、あるいはポリエチレン樹脂、ポリ塩化ビニル樹脂、ポリスチレン樹脂等の熱可塑性樹脂であってもよく、さらには、これらの樹脂に木粉等の異物を混入したもの等であってもよい。
【００１０】
このような本発明においては、框を合成樹脂製としたので、従来の金属製の框を備えた襖に比べ、重量が小さくなり、襖の軽量化が図られる。このため、本体が発泡スチロール製の面材により形成されていることと併せて、軽量で使い勝手のよい襖を実現できるようになる。また、軽量であることから、襖の建付けの際の作業や運搬も容易になる。
【００１１】
さらに、框を合成樹脂製としたので、押出成形等が可能となり、成形性に優れていることから、複雑な断面形状の框も比較的容易に成形することが可能となるため、調整材による調整機能を備えた襖を容易に実現できるようになり、これらにより前記目的が達成される。
【００１２】
また、前述した襖の構造において、框の少なくとも一部には、框の長手方向に沿って金属製の補強材が設けられていることが好ましい。
【００１３】
ここで、「框の少なくとも一部」とは、本体の周囲の全周に渡って補強材を設ける場合のみならず、例えば、本体の上下に設けられる横框のみに補強材を設ける場合、横框のうち上框または下框のいずれか一方のみに補強材を設ける場合、あるいは本体の左右に設けられる縦框のみに補強材を設ける場合等も含む趣旨である。
【００１４】
このように金属製の補強材を設けた場合には、合成樹脂製の框だけでは強度が不足するような場合にその補強を行うことが可能となる。
【００１５】
そして、補強材を設ける襖の構造において、框の少なくとも一部に、框の長手方向に沿って中空部を形成し、補強材を中空部の内部に設けるようにしてもよい。
【００１６】
このように中空部の内部に補強材を設けるようにした場合には、框が合成樹脂製であるため、中空部は押出成形等により容易に形成できるので、補強材を設けるにあたって、框の製作工程が特に複雑化するようなことはない。
【００１７】
また、補強材を設ける襖の構造において、補強材は、框のうち少なくとも本体の上下に設けられる横框に設けられ、これらの上下の横框に設けられる補強材のうち少なくとも一方は、襖の上下方向の高さ寸法を調整するための調整材として機能することが好ましい。
【００１８】
ここで、「框のうち少なくとも本体の上下に設けられる横框に設けられ」とは、上下の横框（上框および下框の双方）に補強材が設けられていればよく、左右の縦框における補強材の設置の有無は問わない趣旨である。また、「上下の横框に設けられる補強材のうち少なくとも一方」とは、上框に設けられる補強材のみを調整材として機能する補強材としてもよく、下框に設けられる補強材のみを調整材として機能する補強材としてもよく、あるいは上框および下框の双方に設けられる補強材を調整材として機能する補強材としてもよい趣旨である。さらに、「調整材として機能する」とは、補強材が調整材そのものとなる場合（例えば、後述の図２の場合等）のみならず、補強材が調整材の一部を構成する場合（例えば、後述の図５の場合等）も含むものである。
【００１９】
このように上下の横框に補強材を設け、かつ、その補強材を調整材として機能させるようにした場合には、合成樹脂製の横框の補強を行うことができ、襖全体の強度の向上を図ることができるようになるうえ、敷居と鴨居との間の間隔あるいはこれらに形成された溝の深さに応じ、襖の上下方向の高さ寸法を自在に調整することが可能となる。
【００２０】
さらに、前述した中空部の内部に設けられる補強材（以下、第一の補強材という。）と、襖の上下方向の高さ寸法を調整するための調整材として機能する補強材（以下、第二の補強材という。）とを共に備えた構造の襖としてもよい。この際、例えば、縦框に第一の補強材を設け、横框に第二の補強材を設ける場合（後述の図２参照）等のように、第一、第二の補強材を本体の周囲に設けられた框の異なる部分に配置するようにしてもよく、あるいは、例えば、横框に第一、第二の補強材の両方を設ける場合（後述の図６参照）等のように、第一、第二の補強材を本体の周囲に設けられた框の同一部分に配置するようにしてもよい。なお、後者の同一部分に配置する場合とは、一つの補強材が第一の補強材にもなり、かつ、第二の補強材にもなるという意味ではない。すなわち、中空部の内部に設けられる補強材を調整材として機能させるという意味ではなく、本体の周方向についての同一箇所に、第一の補強材およびこれとは別体の第二の補強材を互いに平行または略平行に配置するという意味である。
【００２１】
また、以上に述べた襖の構造において、框は、プラスチック樹脂に木粉を混入したプラスチック製材料により形成されていることが好ましい。
【００２２】
このようにプラスチック樹脂に木粉を混入させた場合には、木質感を出して室内調和を図ることができるようになるうえ、押出成形等が可能なため、多様な断面形状の框を本物の木よりも容易に作ることが可能となる。
【００２３】
【発明の実施の形態】
以下に本発明の一実施形態を図面に基づいて説明する。図１には、本実施形態の襖１０の全体構成が示され、図２には、襖１０の要部の拡大斜視図が示され、図３には、襖１０の要部の分解斜視図が示されている。
【００２４】
図１において、襖１０は、部屋と部屋との境界位置や押入の開口部等に設けられる上側の鴨居１１と下側の敷居１２との間に配置され、隣接する空間を仕切る役割を果たしている。この襖１０は、長方形の面状の本体２０と、この本体２０の四周のうち左右の端縁部分に設けられた枠材である縦框３０，３１と、上下の端縁部分に設けられた枠材である横框４０，４１と、本体２０の四つの各角部に設けられて縦框３０，３１と横框４０，４１（正確には後述の補強材４５）とを連結する四つの連結部材５０とを備えて構成されている。
【００２５】
図２および図３において、本体２０は、発泡スチロール製の面材２１と、この面材２１の表裏の面に貼られた補強や反り防止用のアルミ製等の金属箔（例えば厚さ約７０μｍ程度）２２と、さらにこの金属箔２２の外側に貼られた化粧用の和紙２３とを備えて構成されている。
【００２６】
縦框３０，３１および横框４０，４１は、プラスチック樹脂に木粉を混入したプラスチック製材料により形成された押出成形品である。また、連結部材５０は、アルミ合金等の金属製としてもよく、あるいは必要強度を確保できれば合成樹脂製としてもよい。
【００２７】
縦框３０の外側部分（図中左側部分）には、縦框３０の長手方向に沿って四角形の断面形状を有する中空部３２が設けられている。この中空部３２の内部には、縦框３０の長手方向に沿って金属製の第一の補強材３３が挿入設置されている。補強材３３は、中空の角柱状のものであり、アルミ合金等による押出成形品である。
【００２８】
また、縦框３０の内側部分（図中右側部分）には、縦框３０の長手方向に沿って凹部３４が形成され、この凹部３４を形成する二股部分の両先端縁の対向位置には、爪部３５が形成されている。これにより、本体２０の左右の端縁部分は、凹部３４に嵌合挿入され、かつ、表裏の両面側から爪部３５により挟持されるようになっている。なお、縦框３１の構成も、縦框３０と全く同様である。
【００２９】
横框４０は、Ｈ形の断面形状を有し、上下に凹部４２，４３が形成されている。内側（下側）の凹部４３を形成する二股部分の両先端縁の対向位置には、爪部４４が形成されている。これにより、本体２０の上下の端縁部分は、凹部４３に嵌合挿入され、かつ、表裏の両面側から爪部４４により挟持されるようになっている。
【００３０】
また、外側（上側）の凹部４２には、横框４０の長手方向に沿って襖１０の上下方向の高さ寸法を調整するための調整材として機能する金属製の第二の補強材４５が嵌挿設置され、この補強材４５は、横框４０に対して上下方向に摺動自在とされている。補強材４５は、中空の略角柱状のものであり、アルミ合金等による押出成形品である。また、補強材４５の外向き面（上面）の幅方向両端には、補強材４５の長手方向に沿って外側（上方）に突出する突出部４６が形成され、これらの突出部４６の間には、凹部４７が形成されている。
【００３１】
連結部材５０は、縦框３０の方向に突出した角柱状のスライド部５１と、このスライド部５１の先端面（図中の下面）５１Ａに配置される板ばね５２と、横框４０の方向に突出した突片５３とを備えている。
【００３２】
スライド部５１の断面形状は、縦框３０に設けられた中空部３２の断面形状と一致し、スライド部５１は、中空部３２の内部に嵌合挿入されるようになっている。
【００３３】
板ばね５２は、中央に山形部５２Ａを有し、この山形部５２Ａに固定されたナット５２Ｂに、スライド部５１を貫通して配置されたボルト５４を螺合することにより、スライド部５１の先端面５１Ａに密着配置されるようになっている。従って、スライド部５１を中空部３２の内部に嵌合挿入した状態で、ボルト５４を締め込むと、山形部５２Ａが潰れて板ばね５２の幅が拡がり、板ばね５２の両側端縁部５２Ｃが中空部３２の内面に圧接され、これにより連結部材５０が縦框３０に対して固定されるようになっている。
【００３４】
突片５３は、調整材として機能する補強材４５に設けられた中空部４８に挿入されるようになっている。そして、突片５３を中空部４８に挿入した状態で、ビス５５を補強材４５の凹部４７の底面に設けられた貫通孔４９に通し、突片５３に切られた雌ねじ５３Ａにねじ込むことにより、連結部材５０と補強材４５とが固定されるようになっている。なお、横框４１の構成も、横框４０と全く同様である。
【００３５】
このような本実施形態においては、以下のようにして襖１０の高さ寸法の調整を行い、襖１０を鴨居１１と敷居１２との間に建て込む。
【００３６】
先ず、図２および図３に示すように、本体２０の四周の左右に縦框３０，３１を、上下に横框４０，４１をそれぞれ嵌め込む。この際、縦框３０，３１の中空部３２の内部には、予め第一の補強材３３を設置しておく。
【００３７】
次に、連結部材５０のスライド部５１を縦框３０，３１の中空部３２に挿入するとともに、調整材として機能する第二の補強材４５を横框４０，４１の凹部４２に挿入し、この状態でビス５５により連結部材５０と補強材４５とを固定する。なお、ビス５５により連結部材５０と補強材４５とを固定してから、スライド部５１を中空部３２に挿入するとともに、補強材４５を凹部４２に挿入するようにしてもよい。
【００３８】
さらに、鴨居１１と敷居１２との間の間隔、あるいはこれらに設けられた溝１１Ａ，１２Ａの深さに応じて（図１参照）、ビス５５により一体化された連結部材５０および補強材４５の高さ位置（本体２０に対する上下方向の相対位置）を調整して定める。そして、定めた高さ位置とした状態で、ボルト５４を締め込み、連結部材５０を縦框３０，３１に固定し、襖１０の高さ寸法の調整を完了する。
【００３９】
その後、倹飩作業を行い、襖１０を鴨居１１と敷居１２との間に建て込む。なお、建て込み後には、通常、連結部材５０のみが鴨居１１や敷居１２の各溝１１Ａ，１２Ａと接触するようになるが、補強材４５の突出部４６も各溝１１Ａ，１２Ａに接触するような構成としてもよい。
【００４０】
このような本実施形態によれば、次のような効果がある。すなわち、縦框３０，３１および横框４０，４１をプラスチック樹脂に木粉を混入したプラスチック製材料により形成したので、従来の金属製の框を備えた襖に比べ、重量を小さくでき、襖１０の軽量化を図ることができる。このため、本体２０が発泡スチロール製の面材２１により形成されていることと併せて、軽量で使い勝手のよい襖１０を実現できる。また、軽量であることから、襖１０の建付けの際の作業や運搬も容易に行うことができる。
【００４１】
さらに、縦框３０，３１および横框４０，４１をプラスチック樹脂に木粉を混入したプラスチック製材料により形成したので、押出成形により複雑な断面形状を簡単に作ることができる。このため、第一の補強材３３を挿入するための中空部３２を縦框３０，３１に容易に形成でき、また、調整材として機能する第二の補強材４５を挿入する凹部４２を横框４０，４１に容易に形成できる。
【００４２】
そして、縦框３０，３１および横框４０，４１をプラスチック樹脂に木粉を混入したプラスチック製材料により形成したので、襖１０のうち少なくとも室内からはっきり見える部分には、金属材料が露出することがなくなり、木質感を出して室内調和を図ることができる。
【００４３】
また、縦框３０，３１には、金属製の第一の補強材３３が設けられているので、縦框３０，３１の強度不足を補うことができる。そして、補強材３３は、中空部３２の内部に設けられ、この中空部３２は押出成形により容易に形成できるので、補強材３３を設けるにあたって、縦框３０，３１の製作工程が特に複雑化するようなことはない。
【００４４】
さらに、横框４０，４１には、金属製の第二の補強材４５が設けられているので、横框４０，４１の強度不足を補うことができる。そして、補強材４５は、調整材としても機能するので、鴨居１１と敷居１２との間の間隔、あるいはこれらに形成された溝１１Ａ，１２Ａの深さに応じ、襖１０の上下方向の高さ寸法を自在に調整することができる。
【００４５】
なお、本発明は前記実施形態に限定されるものではなく、本発明の目的を達成できる範囲内での変形等は本発明に含まれるものである。
【００４６】
すなわち、前記実施形態では、横框４０，４１の双方に、調整材として機能する第二の補強材４５が設けられていたが、双方にこのような調整材として機能する第二の補強材４５を設ける必要はなく、上側の横框（上框）４０または下側の横框（下框）４１のいずれか一方のみに調整材として機能する第二の補強材４５を設け、他方には調整材として機能することのない補強材、例えば、縦框３０，３１に設けられている補強材３３のような中空部の内部に設けられる第一の補強材等を設けるようにしてもよい。
【００４７】
また、前記実施形態では、調整材として機能する補強材４５を連結部材５０とともに上下させて位置調整し、板ばね５２を用いて適切な箇所で連結部材５０を縦框３０，３１に固定して高さ寸法の調整を行っていたが、高さ寸法調整機能を実現する構成は、このような構成に限定されるものではなく、例えば、特開平１０−２３８２２６号公報に記載された襖のように、連結部材自体を伸縮させることにより、調整材として機能する補強材と横框との上下方向の相対位置を調整するようにしてもよく、あるいは、横框と縦框とをビス等で固定しておき、調整材として機能する補強材と横框との上下方向の相対位置を、これらの間の位置関係を直接に規定する別のビスの締緩によって調整するようにしてもよい。
【００４８】
さらに、前記実施形態では、金属製の補強材４５が調整材として機能していたが、必ずしも補強材に調整材としての機能を持たせる必要はなく、例えば、図４に示すように、プラスチック樹脂に木粉を混入したプラスチック製材料（合成樹脂）により形成された横框６０に中空部６１を形成し、この中空部６１の内部にアルミ合金等による押出成形品である金属製の第一の補強材６２を設けておき、一方、高さ寸法調整用の調整材６３は、金属製ではなく、横框６０と同様にプラスチック樹脂に木粉を混入したプラスチック製材料（合成樹脂）により形成するようにしてもよい。このようにした場合には、調整材６３のうち横框６０から外側に僅かにはみ出した部分まで含めて金属の露出を防いで木質感を出すことができ、室内調和をより一層図ることができる。
【００４９】
そして、前記実施形態では、補強材４５が調整材そのものとなっていたが、補強材が調整材の一部を構成するようにしてもよい。例えば、図５に示すように、横框７０および調整材７１を共に合成樹脂（プラスチック樹脂に木粉を混入したプラスチック製材料が好ましい。）により形成し、調整材７１に形成された中空部７２の内部にアルミ合金等による押出成形品である金属製の第二の補強材７３を設けるようにしてもよい。なお、この場合の補強材７３は、中空部７２の内部に設けられてはいるが、横框７０自体の中空部ではなく、調整材７１の中空部７２であるから、框に形成された中空部の内部に設けられる第一の補強材に該当するものではなく、調整材の一部を構成していることから、襖の上下方向の高さ寸法を調整するための調整材として機能する第二の補強材に該当するものである。
【００５０】
また、前記実施形態では、縦框３０，３１に、中空部３２の内部に設けられる第一の補強材３３が配置され、横框４０，４１に、調整材として機能する第二の補強材４５が配置されていたが、第一、第二の補強材は、必ずしもこのように異なる框に配置する必要はなく、同じ框に配置するようにしてもよい。例えば、図６に示すように、合成樹脂（プラスチック樹脂に木粉を混入したプラスチック製材料が好ましい。）により形成した横框８０に中空部８１を形成し、この中空部８１の内部に、アルミ合金等による押出成形品である金属製の第一の補強材８２を設けるとともに、横框８０の凹部８３に、調整材として機能させるアルミ合金等による押出成形品である金属製の第二の補強材８４を設けるようにしてもよい。
【００５１】
さらに、第一の補強材を設けるための中空部は、一つの框につき一つに限定されるものではなく、図６に示すように、一つの框８０につき複数の中空部８１を形成し、複数の第一の補強材８２を設けるようにしてもよい。また、本発明の補強材は、中空のものに限らず、図６に示すように、中実の補強材８２としてもよい。
【００５２】
また、前記実施形態では、縦框３０，３１に形成された中空部３２の内部に設けられた第一の補強材３３は、縦框３０，３１の全長に渡っては設けられておらず、縦框３０，３１の長手方向の両端近傍部分、すなわち中空部３２の開口近傍部分には、連結部材５０のスライド部５１が嵌合挿入されるようになっていたが、このような構成に限定されるものではなく、図７に示すように、縦框３０，３１の全長に渡る長さを有する金属製の第一の補強材９０を中空部３２の内部に嵌合挿入するようにしてもよい。この際には、連結部材９１のスライド部９２は、補強材９０に形成された中空部９０Ａの内部に嵌合挿入されるようにしておけばよく、また、板ばね９３も、ボルト９４を締め込んだときに補強材９０の中空部９０Ａの内面に圧接されるようにしておけばよい。従って、図７に示した連結部材９１のスライド部９２および板ばね９３の大きさは、前記実施形態の連結部材５０のスライド部５１および板ばね５２の大きさよりも小さくなっている。なお、その他の部材の構成は、前記実施形態の場合と全く同様である。このようにすることで、本発明における補強材が、本体２０の周囲の全周に渡って完全に配置されることになるので、確実な補強を行うことができ、さらに、連結部材９１をも金属製としておけば、金属部材による補強が完全な枠状のものとなり、より一層の補強効果が得られる。
【００５３】
【発明の効果】
以上に述べたように本発明によれば、本体の周囲に設けられる框を合成樹脂製としたので、襖の軽量化を図ることができるという効果がある。
【図面の簡単な説明】
【図１】本発明の一実施形態の襖の全体構成図。
【図２】前記実施形態の襖の要部の拡大斜視図。
【図３】前記実施形態の襖の要部の分解斜視図。
【図４】本発明の第一の変形の形態を示す部分断面図。
【図５】本発明の第二の変形の形態を示す部分断面図。
【図６】本発明の第三の変形の形態を示す部分断面図。
【図７】本発明の第四の変形の形態を示す部分断面図。
【符号の説明】
１０  襖
２０  本体
２１  発泡スチロール製の面材
３０，３１  縦框
３２，６１，８１  中空部
３３，６２，８２，９０  中空部の内部に設けられる第一の補強材
４０，４１，６０，７０，８０  横框
４５，７３，８４  調整材として機能する第二の補強材
【図１】
0004097855.tif 000002
【図２】
0004097855.tif 000003
【図３】
0004097855.tif 000004
【図４】
0004097855.tif 000005
【図５】
0004097855.tif 000006
【図６】
0004097855.tif 000007
【図７】
0004097855.tif 000008